(57)【要約】  実施形態によれば、第１の面上に電力使用量を測定する測定装置が配置されるコンセントレータは、筐体と通信部と無線通信部と制御部と第１のアンテナと第２のアンテナとを具備する。筐体は、前記測定装置と前記コンセントレータとの配置方向に対して直交する第１の方向に対向配置された第１の側壁と第２の側壁とを有する。制御部は、前記無線通信部を用いて、複数の電力使用量をサーバに通知する。第１のアンテナは、前記第１の側壁の近傍に設けられている。第２のアンテナは前記第２の側壁の近傍に設けられている。
2015186252.tif 000002
【特許請求の範囲】
【請求項１】
第１の面上に電力使用量を測定する測定装置が配置されるコンセントレータであって、
前記測定装置と前記コンセントレータとの配置方向に対して直交する第１の方向に対向配置された第１の側壁と第２の側壁とを有する筐体であって、前記第１の側壁と前記第２の側壁は前記第１の面に接続した筐体と、
前記筐体内に設けられ、前記測定装置を含む複数の測定装置から複数の電力使用量を受信するための通信部と、
前記筐体内に設けられた、無線通信部と、
前記無線通信部を用いて、前記複数の電力使用量をサーバに通知する制御部と、
前記第１の側壁の近傍に設けられた第１のアンテナと、
前記第２の側壁の近傍に設けられた第２のアンテナと
を具備するコンセントレータ。
【請求項２】
前記第１及び第２のアンテナは、前記無線通信部に接続された、請求項１に記載のコンセントレータ。
【請求項３】
前記通信部は、前記複数の測定装置から前記電力使用量を無線通信により受信し、
前記第１及び第２のアンテナのうち一方は前記無線通信部に接続され、他方は前記通信部に接続された、請求項１に記載のコンセントレータ。
【請求項４】
前記第１のアンテナは、モノポールアンテナである、請求項２又は３に記載のコンセントレータ。
【請求項５】
前記第２のアンテナは、ダイポールアンテナである、請求項１又は２に記載のコンセントレータ。
【請求項６】
前記第１のアンテナは、当該第１のアンテナの長手方向が前記第１の側壁に沿う方向となるよう設けられた、請求項１乃至５の何れかに記載のコンセントレータ。
【請求項７】
前記第２のアンテナは、当該第２のアンテナの長手方向が前記第２の側壁に沿う方向となるよう設けられた、請求項１乃至６の何れかに記載のコンセントレータ。
【請求項８】
前記筐体内の、前記第１及び第２の側壁のうち前記第１の側壁に近い側に設けられ、前記無線通信部を含む電子回路を有する制御基板を更に備え、
前記第１のアンテナは、前記電子回路が設けられた領域より、前記第１の側壁側に設けられている
請求項１又は２に記載のコンセントレータ。
【請求項９】
前記第１のアンテナは前記制御基板に設けられる、請求項８に記載のコンセントレータ。
【請求項１０】
前記筐体内の、前記第１及び第２の側壁のうち前記第２の側壁に近い側に設けられた電源回路基板を更に備え、
前記第２のアンテナは、前記電源回路基板の回路領域よりも前記第２の側壁側に設けられた、請求項８に記載のコンセントレータ。
【請求項１１】
前記通信部が設けられた通信基板を更に備え、
前記制御基板と前記通信基板とは、前記第１の側壁と前記第２の側壁に接続する第３の側壁に直交する方向に配列された、請求項８に記載のコンセントレータ。
【請求項１２】
前記通信部は無線通信部であり、前記通信基板又は前記通信基板の近傍に設けられた、当該無線通信部のための第３のアンテナを更に有する、請求項１１に記載のコンセントレータ。
【請求項１３】
前記第３のアンテナは、第１の側壁の近傍、あるいは第２の側壁の近傍に設けられた、請求項１２に記載のコンセントレータ。
【請求項１４】
前記通信部が設けられた通信基板を更に備え、
前記制御基板と前記電源回路基板とは、前記第２の側壁に直交する方向に配列された、請求項１０に記載のコンセントレータ。
【請求項１５】
前記電源回路基板の前記第１の側壁と前記第２の側壁に接続する第３の側壁に直交した方向の長さは、前記電源回路基板の前記直交する方向の長さよりも長く、かつ、前記通信基板の前記直交する方向の長さも長い、請求項１４に記載のコンセントレータ。
【請求項１６】
前記筐体の前記第１の方向の長さは、前記測定装置の前記第１の方向の長さより長い、請求項１に記載のコンセントレータ。
【請求項１７】
前記第１のアンテナ又は前記第２のアンテナと前記測定装置とは、前記配置方向に重ならない位置に配置されている、請求項１６に記載のコンセントレータ。
【請求項１８】
前記コンセントレータに配置される前記測定装置は電力使用量を遠隔検針する検針装置であり、前記コンセントレータと通信する通信機能を備える、請求項１記載のコンセントレータ。
【請求項１９】
第１の面上に電力使用量を測定する測定装置が配置されるコンセントレータであって、
前記測定装置と前記コンセントレータとの配置方向に対して直交する第１の方向に対向配置された第１の側壁と第２の側壁とを有する筐体であって、前記第１の側壁と前記第２の側壁は前記第１の面に接続した筐体と、
前記筐体内に設けられ、前記測定装置を含む複数の測定装置から複数の電力使用量を受信するための通信部と、
前記筐体内に設けられた、無線通信部と、
前記無線通信部を用いて、前記複数の電力使用量をサーバに通知する制御部と、
前記第１の側壁の近傍に設けられた第１のアンテナ及び第２のアンテナと、
を具備するコンセントレータ。
【請求項２０】
無線通信機を有するガスメータと、第１の面上に電力使用量を測定する測定装置が配置されるコンセントレータであって、前記測定装置と前記コンセントレータとの配置方向に対して直交する第１の方向に対向配置された第１の側壁と第２の側壁とを有する筐体であって、前記第１の側壁と前記第２の側壁は前記第１の面に接続し、前記筐体の前記第１の方向の長さは、前記測定装置の前記第１の方向の長さより長い、筐体と、前記筐体内に設けられ、前記測定装置を含む複数の測定装置から複数の電力使用量を受信するための通信部と、前記筐体内に設けられた、無線通信部と、前記無線通信部を用いて、前記複数の電力使用量をサーバに通知する制御部と、前記第１の側壁の近傍に設けられ、前記無線通信部に接続された第１のアンテナと、前記第２の側壁の近傍に設けられ、前記無線通信部に接続された第２のアンテナとを備えるコンセントレータと、前記コンセントレータから送信された電力使用量データ及びガス使用量データを収集し、前記ガス使用量データを抽出する第１収集サーバと、前記第１収集サーバからデータ提供を受ける第２収集サーバとを含むデータ取得システムにおけるデータ取得方法であって、
前記ガスメータが、ガス使用量を測定して、測定により得られたガス使用量データを暗号化して前記コンセントレータに送信し、
前記第２収集サーバが、前記第１収集サーバによって抽出された前記ガス使用量データを取得する、
データ取得方法。
【発明の詳細な説明】
【技術分野】
【０００１】
ここに記載された実施形態は、概して、コンセントレータに関する。
【背景技術】
【０００２】
電力使用量をデジタルで計測し、計測された電力使用量を、通信回線を利用して電力会社に通知するための通信機能を持たせた電力量計（所謂、スマートメータ）が導入されようとしている。【０００３】
スマートメータは、計測された電力使用量をコンセントレータに通知する。コンセントレータは、数百台程度のスマートメータから電力使用量を通知される。コンセントレータは、各スマートメータの電力使用量を電力会社に通知する。
【先行技術文献】
【特許文献】
【０００４】
【特許文献１】国際公開第２０１２／０４２７４８号パンフレット
【発明の概要】
【発明が解決しようとする課題】
【０００５】
コンセントレータは、例えばセルラー方式の無線通信によって、各家庭の電力使用量をサーバに通知する。スマートメータの背面にコンセントレータを配置するタイプがある。スマートメータはトランス等の金属性部品をもつので、アンテナ性能の劣化が発生することが予想される。【０００６】
本発明の目的は、アンテナ性能の劣化を抑制することが可能なコンセントレータを提供することにある。
【課題を解決するための手段】
【０００７】
実施形態によれば、第１の面上に電力使用量を測定する測定装置が配置されるコンセントレータは、筐体と、通信部と、無線通信部と、制御部と、第１のアンテナと、第２のアンテナとを具備する。筐体は、前記測定装置と前記コンセントレータとの配置方向に対して直交する第１の方向に対向配置された第１の側壁と第２の側壁とを有する。前記第１の側壁と前記第２の側壁は前記第１の面に接続している。通信部は、前記筐体内に設けられ、前記測定装置を含む複数の測定装置から複数の電力使用量を受信する。無線通信部は、前記筐体内に設けられている。制御部は、前記無線通信部を用いて、前記複数の電力使用量をサーバに通知する。第１のアンテナは、前記第１の側壁の近傍に設けられている。第２のアンテナは前記第２の側壁の近傍に設けられている。
【図面の簡単な説明】
【０００８】
【図１】図１は、実施形態に係るスマートメータシステムの構成を示す例示的な図である。
【図２】図２は、実施形態に係るスマートメータの構成を示す例示的な図である。
【図３】図３は、スマートメータおよびコンセントレータの外観を示す例示的な図である。
【図４】図４は、実施形態のコンセントレータの構成を示す例示的な図である。
【図５】図５は、スマートメータおよびコンセントレータを正面から見た図である。
【図６】図６は、スマートメータおよびコンセントレータを側面から見た図である。
【図７】図７は、ガス使用量のデータ収集の処理の手順を示す例示的なフローチャートである。
【図８】図８は、コンセントレータの構成を示す例示的な図である。
【図９】図９は、コンセントレータの構成を示す例示的な図である。
【図１０】図１０は、コンセントレータの構成を示す例示的な図である。
【発明を実施するための形態】
【０００９】
添付図面を参照して以下に様々な実施形態を説明する。
【００１０】
図１は、スマートメータシステムの構成を示す図である。
【００１１】
家庭等の電力受給所に設けられたスマートメータ（測定装置）１００１、１００２、１００３、．．．、１００ｎは、各電力受給所の電力使用量を測定する。各スマートメータ１００１、１００２、１００３、．．．、１００ｎは、３０分間の電力使用量をコンセントレータ２００に通知する。コンセントレータ２００は、通知された電力使用量をデータ収集サーバ３００に通知する。データ収集サーバ３００は、通知された電力使用量を分析することによって、電力料金の設定や、効率的なエネルギー利用を促すためのサービスを提供する。
【００１２】
なお、当該スマートメータシステムをガスメータシステムが利用しても良い。その場合、ガス使用量を測定するガスメータ４００１、４００２、４００３、．．．、４００ｎに無線通信機４０１１、４０１２、４０１３、．．．、４０１ｎが設けられる。そして当該無線通信機４０１１、４０１２、４０１３、．．．、４０１ｎは、ガス使用量の測定値（検針データ）をコンセントレータ２００に送信する。なお、ガスメータ又は無線通信機４０１１、４０１２、４０１３、．．．、４０１ｎは、ガス使用量のデータを暗号化することが好ましい。そしてコンセントレータ２００は、ガス使用量と電力使用量とをデータ収集サーバ３００に送信する。データ収集サーバ３００は、取得したガス使用量と電力使用量からガス使用量のデータを抽出して、ガス会社が運用するガス使用量管理サーバ５００に送信する。なお、ガスの使用量データが暗号化されている場合、ガス使用量管理サーバ又はガス使用量管理サーバにアクセスするクライアント装置において、該暗号を復号する。
【００１３】
図２は、スマートメータの構成を示す図である。
【００１４】
図２に示すように、スマートメータ１００は、端子部１０１と、計量器１０２と、通信ユニット１０３と、端子カバー１０４とを備えている。
【００１５】
端子部１０１には、電力線が接続される。計量器１０２は、電力受給所内の電力消費量を測定する。通信ユニット１０３は、測定された電力消費量を例えば３０分毎にコンセントレータ２００に通知する。通信ユニット１０３は、例えば、Power Line Communications（ＰＬＣ）方式や無線マルチホップ方式（Wi-SUNやZigBee（登録商標）等）により、電力使用量をコンセントレータ２００に通知する。
【００１６】
計量器１０２には、係合部材１１０が設けられている。係合部材１１０には、スマートメータ１００をコンセントレータに固定するためのねじ穴１０１Ａが設けられている。
【００１７】
端子部１０１には、スマートメータ１００をコンセントレータに固定するためのねじが貫通するねじ穴１０１Ａが設けられている。
【００１８】
端子カバー１０４は、端子部１０１を覆い、端子部１０１が露出することを防止する。
【００１９】
コンセントレータは、例えば５００軒のつき１軒の割合で、電力受給所内のスマートメータがコンセントレータに設けられる。
【００２０】
図３は、スマートメータ１００およびコンセントレータ２００の外観を示す図である。
【００２１】
図３に示すように、コンセントレータ２００の第１の面（例えば、上面２００Ａ）にスマートメータ１００が設けられている。スマートメータ１００には、三線式の電力線が接続されている。
【００２２】
コンセントレータ２００の水平方向の略中央とスマートメータ１００の略中央とが一致し、スマートメータ１００の上端部がコンセントレータ２００の上端付近になるように、スマートメータ１００が、ねじ６００やその他の固定部材によってコンセントレータ２００に固定される。なお、コンセントレータ２００には、スマートメータ１００と異なるサイズのスマートメータが設けられることもあるが、その場合にも、コンセントレータ２００の水平方向の略中央とスマートメータの略中央とが一致し、該スマートメータの上端部がコンセントレータ２００の上端付近となるように、スマートメータが固定される。
【００２３】
ところで、コンセントレータ２００は、セルラー方式の無線通信により基地局を介してデータ収集サーバ３００等と通信を行う。図３に示すように、コンセントレータ２００とスマートメータ１００とが重なる場合、スマートメータ１００はトランス等の金属性部品を多数有するので、コンセントレータ２００内に設けられたアンテナ性能の劣化が発生することが予想される。なお、金属製の端子部１０１もアンテナ性能の劣化の大きな要因となる。
【００２４】
図４は、コンセントレータ２００の構成を示す図である。
【００２５】
コンセントレータ２００は、筐体２１０を有する。筐体２１０は、樹脂によって構成されている。筐体２１０は、スマートメータ１００とコンセントレータ２００との配置方向に直交する方向、例えば水平方向に対向配置された第１の側壁２１１と第２の側壁２１２とを有する。第１の側壁２１１と第２の側壁２１２とは、第１の面２００Ａに接続する。
【００２６】
筐体２１０内に、電源回路基板２２１、通信部（第２通信部）２２２、無線通信部２２３、第１のアンテナ２２４、および第２のアンテナ２２５、制御部２２６等が設けられている。
【００２７】
電源回路基板２２１は、通信部２２２、無線通信部２２３、および制御部２２６を駆動するための電力を生成するための回路領域２２１Ａを有する。電源回路基板２２１は、筐体２１０内の、第１及び第２の側壁２１１，２１２のうちの第２の側壁２２２に近い側に設けられている。
【００２８】
通信部２２２は、各電力受給所に設置されたスマートメータと通信を行う。通信部は、Power Line Communications（ＰＬＣ）方式や無線マルチホップ方式（Wi-SUNやZigBee等）により、スマートメータと通信を行う。もし通信部２２２が無線通信によりスマートメータ１００と通信を行うよう構成されている場合には、コンセントレータ２００内に通信部２００用のアンテナ（第３のアンテナ）２２２Ｂが更に設けられる。なお当該無線の通信範囲は、セルラー方式の無線通信よりも狭い。通信部２２２は、通信基板２２２Ａに設けられている。アンテナ２２２Ｂは、通信基板２２２Ａのグランド層２２２Ｄをアンテナの導体板として利用するモノポールタイプである。
【００２９】
無線通信部２２３は、データ収集サーバ３００と無線通信を行う。無線通信部２２３は、セルラー方式で無線通信を行う。第１のアンテナ２２４および第２のアンテナ２２５は、無線通信部２２３に接続されている。第１のアンテナ２２４は、第１の側壁２１１近傍に固定されている。第１のアンテナ２２４の長手方向は、第１の側壁２１１に沿う方向となるよう設けられている。第２のアンテナ２２５は、第２の側壁２１２近傍に固定されている。第２のアンテナ２２５は、回路基板２２１の回路領域２２１Ａよりも第２の側壁２１２側に設けられている。第２アンテナ２２５の長手方向は、第２の側壁２１２に沿う方向となるよう設けられている。
【００３０】
第１のアンテナ２２４は、無線通信部２２３および制御部２２６等を含む電子回路が配置されている制御基板２２７上の電子回路領域２２７Ａより第１の側壁２１１側に設けられている。言い換えると、第１の側壁２１１と電子回路領域２２７Ａとの間に、第１のアンテナ２２４が設けられている。制御基板２２７は、筐体２１０内の、第１及び第２の側壁２１１，２１２のうちの第１の側壁２１１に近い側に設けられている。制御基板２２７と通信基板２２２とは、第１の側壁２１１と第２の側壁２１２とに接続する第３の側壁２１３に直交する方向に配列されている。つまり、制御基板２２７と通信基板２２２とは、垂直方向に並んで配置されている。また、制御基板２２７と電源回路基板２２１とは、第２の側壁２１２に直交する方向に配列されている。つまり、制御基板２２７と電源回路基板２２１とは、水平方向に並んで配置されている。
【００３１】
そして、電源回路基板２２１の第２の側壁に平行した方向の長さは、制御基板２２７のそれよりも長い、かつ、通信部２２２のそれよりも長い。
【００３２】
第１のアンテナ２２４と制御部２２６は、同一基板２２７上に実装されている。第１のアンテナ２２４と第２のアンテナ２２５によって、ダイバーシティアンテナが構成されている。第１のアンテナ２２４は、基板２２７のグランド層２２７Ｂをアンテナの導体板として利用するモノポールタイプである。第２のアンテナは、ダイポールタイプである。
【００３３】
なお、導体板は基板２２７に設けられていなくても良い。例えば、基板２２７以外の基板に設けられたグランド層、あるいは基板２２７以外の金属板金を導体板として用いても良い。また、第１のアンテナ２２４は、基板２２７上でなくスマートメータ２００の筐体に設けられても良い。つまり、第１のアンテナ２２４は、例えば第１の側壁２１１の側壁面に設けられても良い。
【００３４】
第２のアンテナ２２５は、第２の側壁２１２に設けられており、電源回路基板２２１より第２の側壁２１２側に位置している。言い換えると、第２の側壁２１２と電源回路基板２２１との間に、第２のアンテナ２２５が設けられている。電源回路基板２２１は、基板及び基板に設けられた各種電子部品・電子回路を有する。即ち、第２のアンテナは、電源回路基板２２１の電子回路領域より第２の側壁２１２側に設けられており、言い換えると、第２の側壁２１２と電源回路基板２２１の電子回路領域との間に、第２のアンテナ２２５が設けられている。第２のアンテナ２２５を第２の側壁２１２に設けても良い。なお図４において第２のアンテナ２２５は電源回路基板２２１の基板の外に設けられているが、第２のアンテナ２２５は電源回路基板２２１上に設けられても良い。
【００３５】
無線通信部２２３には、二本の給電線が接続される二つのアンテナポート２２３1、２２３2が設けられている。第１のアンテナ２２４が、給電線２２４FLを介してアンテナポート２２３1に接続されている。第１のアンテナ２２５が、給電線２２５FLを介してアンテナポート２２３2に接続されている。
【００３６】
第１のアンテナ２２４は、給電点２２４FPから、水平方向に直交する方向（設置されたときの垂直方向）、かつ設置されたときの下方向（以下、下方向）に延びている。即ち、第１のアンテナ２２４は、給電点２２４FPから、第１の側壁２１１と平行に通信部２２２と反対方向に延びている。なお第１のアンテナ２２４は、基板２２７上において給電点２２４FPから図４と反対方向に延びたものであっても良い。
【００３７】
なお図４において、第１のアンテナ２２４の開放端２２４1は、下方向に向いているが、紙面上方向に向いていても良い。つまりアンテナ２２４は途中で曲がっていても良い。  第２のアンテナ２２５は、給電点２２５FPから、水平方向に直交する方向（設置されたときの垂直方向）、即ち第２の側壁２１２と平行に延びている。第２のアンテナ２２５の一方の開放端２２５1は、設置箇所に設置されたとき上方向に向いており、第２のアンテナ２２５の他方の開放端２２５2は、設置箇所に設置されたとき下方向に向いている。なお、第２のアンテナ２２５の開放端２２５1、２２５2が、同じ方向(上方向、あるいは下方向)を向くように、第２のアンテナ２２５の素子が曲がっていても良い。
【００３８】
制御部２２６は、通信部２２２を用いて、各設置箇所のスマートメータ１００から電力使用量を取得する。また、制御部２２６は、取得された電力使用量をデータ収集サーバ３００に通知する。
【００３９】
第１のアンテナ２２４を第１の側壁２１１近傍に配置し、第２のアンテナ２２５を第２の側壁２１２近傍に配置することで、第１のアンテナ２２４および第２のアンテナ２２５がスマートメータ１００内に設けられた金属部品による影響を受けづらくなる。その結果、第１のアンテナ２２４および第２のアンテナ２２５のアンテナ性能の劣化を抑制することが可能になる。
【００４０】
図５は、スマートメータ１００およびコンセントレータ２００を正面から見た図である。図５に示すように、スマートメータ１００およびコンセントレータ２００を正面から見ると、アンテナ２２４、２２５は、端子部１０１及び電力線から外れた位置に設けられている。
【００４１】
図６は、スマートメータ１００およびコンセントレータ２００を側面から見た図である。図６に示すように、スマートメータ１００およびコンセントレータ２００を側面から見ると、アンテナ２２４、２２５は、端子部１０１及び電力線から外れた位置に設けられている。
【００４２】
図５において、筐体２１０の水平方向の長さは、スマートメータ１００の水平方向の長さより長いが、同じ長さであっても良い。図５のように筐体１０の水平方向の長さがスマートメータ１００の水平方向の長さよりも長い場合は、コンセントレータ２００の筐体の蓋に設けられるねじ穴（ねじ穴１０１Ａと重なるねじ穴）の位置は第１及び第２のアンテナよりも内側となる。言い換えると、ねじ穴１０１Ａのうち第１の側壁２１１寄りに位置するねじ穴は、第１のアンテナ２２４を基準にして第２の側壁２１２側に設けられており、ねじ穴１０１Ａのうち第２の側壁２１２寄りに位置するねじ穴は、第２のアンテナ２２５を基準にして第１の側壁２１２側に設けられている。筐体１０の水平方向の長さがスマートメータ１００の水平方向の長さと同程度の場合は、コンセントレータ２００の筐体の蓋に設けられるねじ穴の位置は第１及び第２のアンテナの近傍となる。
【００４３】
なお、第１のアンテナ２２４や第２のアンテナ２２５は、スマートメータ１００とコンセントレータ２００との配置方向に、スマートメータ１００と重ならない位置に配置されていることが好ましいが、第１のアンテナ２２４や第２のアンテナ２２５がスマートメータ１００と重なる位置に設けられた場合であっても、これらのアンテナが樹脂性の側壁近傍に設けられているため、良好な無線品質を保つことができる。
【００４４】
モノポールタイプの第１のアンテナ２２４と、ダイポールタイプの第２のアンテナ２２５では、放射パターンが異なるものとなるため、アンテナ間の相関を落とすことが可能となり、ダイバーシティ効果を向上させることができる。
【００４５】
次に、図７のフローチャートを参照して、ガス使用量のデータ収集の処理の手順を説明する。なお、以下の方法においては、コンセントレータは、セルラー方式の無線通信を用いずに、電気使用量データをデータ収集サーバ３００に通知しても良い。
【００４６】
先ず、各ガスメータ４００１、４００２、４００３、．．．、４００ｎがガス使用量を測定する（ステップＢ１１）。各ガスメータ４００１、４００２、４００３、．．．、４００ｎは、測定により得られたガス使用量データを暗号化する（ステップＢ１２）。各ガスメータ４００１、４００２、４００３、．．．、４００ｎは、暗号化されたガス使用量データを無線通信機を用いてコンセントレータ２００に送信する（ステップＢ１３）。コンセントレータ２００は、。各ガスメータ４００１、４００２、４００３、．．．、４００ｎをデータ収集サーバ３００に送信する（ステップＢ１４）。データ収集サーバ３００は、ガス使用量データを収集する（ステップＢ１５）。データ収集サーバ３００は、収集されたデータ（電気使用量データを含む）からガス使用量データを抽出する（ステップＢ１６）。データ収集サーバ３００は、抽出されたガス使用量データをガス使用量管理サーバ５００に送信することによって、各設置箇所のガス使用量データをガス使用量管理サーバ５００に提供する（ステップＢ１７）。ガス使用量管理サーバ５００は、提供されたガス使用量を受信することによって、ガス使用量データを取得する（ステップＢ１８）。
【００４７】
図８は、コンセントレータ２００の変形例を示す図である。図８に示すように、コンセントレータ２００は、ダイポールタイプのアンテナを有していない。また、電源回路基板２２１は、垂直方向に対向する第３の側壁２１３と第４の側壁２１４のうちの第３の側壁２１３側に設けられている。第３の側壁２１３は、設置されたときに下になる。通信部２２２と制御基板２２７とは、第３の側壁２１３と第４の側壁２１４のうちの第４の側壁２１４側に設けられている。第４の側壁２１４は、設置されたときの上になる。通信部２２２と制御基板２２７は、水平方向に並んで配置されている。第１のアンテナ２２４は、第１の側壁２１１の近傍に設けられている。アンテナ２２２Ｂは、第２の側壁２１２の近傍に設けられている。
【００４８】
図９は、コンセントレータ２００の変形例を示す図である。図９に示すように、電源回路基板２２１と通信部２２２と制御基板２２７との配置関係は、図８のコンセントレータと同様である。コンセントレータ２００は、ダイポールタイプの第２のアンテナ２２５を有している。
【００４９】
図１０は、コンセントレータ２００の変形例を示す図である。図９に示すように、ダイポールタイムの第２のアンテナを有していない。電源回路基板２２１と通信部２２２と制御基板２２７との配置関係は、図４のコンセントレータと同様である。  第１のアンテナ２２４を第１の側壁２１１の近傍に設け、第２のアンテナ２２５を第２の側壁２１２の近傍に設けることで、第１のアンテナ２２４および第２のアンテナ２２５がスマートメータ１００内に設けられた金属部品による影響を受けづらくなり、アンテナ性能の劣化を抑制することが可能になる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015186252.tif 000003
【図２】
2015186252.tif 000004
【図３】
2015186252.tif 000005
【図４】
2015186252.tif 000006
【図５】
2015186252.tif 000007
【図６】
2015186252.tif 000008
【図７】
2015186252.tif 000009
【図８】
2015186252.tif 000010
【図９】
2015186252.tif 000011
【図１０】
2015186252.tif 000012
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
第１の面上に電力使用量を測定する測定装置が配置されるコンセントレータであって、
前記測定装置と前記コンセントレータとの配置方向に対して直交する方向に対向配置された第１の側壁と第２の側壁とを有する筐体であって、前記第１の側壁と前記第２の側壁は前記第１の面に接続した筐体と、
前記筐体内に設けられ、前記測定装置を含む複数の測定装置から複数の電力使用量を受信するための通信部と、
前記筐体内に設けられた、無線通信部と、
前記無線通信部を用いて、前記受信した前記複数の電力使用量をデータ収集サーバに通知する制御部と、
前記第１の側壁の近傍で、前記無線通信部と前記制御部とを含む電子回路が配置される制御基板上の前記第１の側壁側に沿って設けられ、前記無線通信部と接続される第１のアンテナと、
前記筐体内の電源回路基板と第２の側壁との間で、前記第２の側壁の近傍に沿って設けられ、前記無線通信部と接続される前記第１のアンテナと異なる形状の第２のアンテナと
を具備するコンセントレータ。
【請求項２】
前記制御基板と前記電源回路基板は、前記第１の側壁と前記第２の側壁の間で並んで配置されている請求項１に記載のコンセントレータ。
【請求項３】
前記第１のアンテナは、モノポールアンテナであり、
前記第２のアンテナは、ダイポールアンテナであり、
前記第１のアンテナと前記第２のアンテナとでダイバーシティアンテナを構成する請求項１に記載のコンセントレータ。
【請求項４】
前記通信部は前記筐体内の通信基板に設けられ、
前記制御基板と前記通信基板とは、前記第１の側壁と前記第２の側壁に接続する第３の側壁に直交する方向に並んで配列されている請求項１に記載のコンセントレータ。
【請求項５】
前記通信部を無線通信部とした場合、前記複数の電力使用量を無線で受信する第３のアンテナが前記通信基板に設けられている請求項４に記載のコンセントレータ。
【請求項６】
前記第３のアンテナは、第１の側壁の近傍、あるいは第２の側壁の近傍に設けられた、請求項５に記載のコンセントレータ。
【請求項７】
前記第３のアンテナは、前記通信基板のグランド層をアンテナの導体板として利用するモノポールタイプである請求項５に記載のコンセントレータ。
【請求項８】
前記電源回路基板の前記第１の側壁と前記第２の側壁の間に位置する第１の辺の長さは、前記第１の辺に直交する第２の辺の長さよりも短く、かつ、前記第２の辺は前記通信基板の前記直交する方向の長さよりも長い請求項４に記載のコンセントレータ。
【請求項９】
第１の面上に電力使用量を測定する測定装置が配置されるコンセントレータであって、
前記測定装置と前記コンセントレータとの配置方向に対して直交する方向に対向配置された第１の側壁と第２の側壁とを有する筐体であって、前記第１の側壁と前記第２の側壁は前記第１の面に接続した筐体と、
前記筐体内の通信基板に設けられ、前記測定装置を含む複数の測定装置から複数の電力使用量を無線により受信するための通信部と、
前記筐体内の制御基板に設けられた無線通信部と、
前記筐体内の電源回路基板に設けられた電源回路と、
前記筐体内の前記制御基板に設けられ、前記無線通信部を用いて、前記受信した前記複数の電力使用量をデータ収集サーバに通知する制御部と、
前記第１の側壁の近傍で、前記制御基板上の前記第１の側壁側に沿って設けられ、前記無線通信部と接続される第１モノポールタイプアンテナと、
前記通信基板上の前記第２の側壁の近傍に沿って設けられた第２モノポールタイプアンテナと、
を具備し、
前記通信基板と前記制御基板は、前記第１の側壁と前記第２の側壁の間に並べて配置され、前記筐体が設置されたときの前記通信基板と前記制御基板の下側に前記電源回路基板が配置されているコンセントレータ。
【請求項１０】
前記電源回路基板と前記第２の側壁との間で、前記第２の側壁の近傍に沿って設けられ、前記無線通信部と接続されるダイポールタイプアンテナを更に具備する請求項９に記載のコンセントレータ。
【請求項１１】
無線通信機を有するガスメータと、第１の面上に電力使用量を測定する測定装置が配置されるコンセントレータであって、前記測定装置と前記コンセントレータとの配置方向に対して直交する方向に対向配置された第１の側壁と第２の側壁とを有する筐体であって、前記第１の側壁と前記第２の側壁は前記第１の面に接続し、前記筐体内に設けられ、前記測定装置を含む複数の測定装置から複数の電力使用量を受信するための通信部と、前記筐体内に設けられた無線通信部と、前記無線通信部を用いて、前記受信した前記複数の電力使用量を収集サーバに通知する制御部と、前記第１の側壁の近傍で、前記無線通信部と前記制御部とを含む電子回路が配置される制御基板上の前記第１の側壁側に沿って設けられ、前記無線通信部に接続された第１のアンテナと、前記筐体内の電源回路基板と前記第２の側壁との間で、前記第２の側壁の近傍に沿って設けられ、前記無線通信部と接続される前記第１のアンテナと異なる形状の第２のアンテナとを備えるコンセントレータと、前記コンセントレータから送信された電力使用量データ及びガス使用量データを収集し、前記ガス使用量データを抽出する第１収集サーバと、前記第１収集サーバからデータ提供を受ける第２収集サーバとを含むデータ取得システムにおけるデータ取得方法であって、
前記ガスメータが、ガス使用量を測定して、測定により得られたガス使用量データを暗号化して前記コンセントレータに送信し、
前記第２収集サーバが、前記第１収集サーバによって抽出された前記ガス使用量データを取得する、
データ取得方法。
【手続補正２】
【補正対象書類名】明細書
【補正対象項目名】０００７
【補正方法】変更
【補正の内容】
【０００７】
実施形態によれば、第１の面上に電力使用量を測定する測定装置が配置されるコンセントレータは、筐体と、通信部と、無線通信部と、制御部と、第１のアンテナと、第２のアンテナとを具備する。筐体は、前記測定装置と前記コンセントレータとの配置方向に対して直交する方向に対向配置された第１の側壁と第２の側壁とを有する。前記第１の側壁と前記第２の側壁は前記第１の面に接続している。通信部は、前記筐体内に設けられ、前記測定装置を含む複数の測定装置から複数の電力使用量を受信する。無線通信部は、前記筐体内に設けられている。制御部は、前記無線通信部を用いて、前記受信した前記複数の電力使用量をデータ収集サーバに通知する。第１のアンテナは、前記第１の側壁の近傍で、前記無線通信部と前記制御部とを含む電子回路が配置される制御基板上の前記第１の側壁側に沿って設けられ、前記無線通信部と接続されている。第２のアンテナは、前記筐体内の電源回路基板と第２の側壁との間で、前記第２の側壁の近傍に沿って設けられ、前記無線通信部と接続される前記第１のアンテナと異なる形状である。
【手続補正３】
【補正対象書類名】明細書
【補正対象項目名】００２７
【補正方法】変更
【補正の内容】
【００２７】
電源回路基板２２１は、通信部２２２、無線通信部２２３、および制御部２２６を駆動するための電力を生成するための回路領域２２１Ａを有する。電源回路基板２２１は、筐体２１０内の、第１及び第２の側壁２１１，２１２のうちの第２の側壁２１２に近い側に設けられている。
【手続補正４】
【補正対象書類名】明細書
【補正対象項目名】００３５
【補正方法】変更
【補正の内容】
【００３５】
無線通信部２２３には、二本の給電線が接続される二つのアンテナポート２２３1、２２３2が設けられている。第１のアンテナ２２４が、給電線２２４FLを介してアンテナポート２２３1に接続されている。第２のアンテナ２２５が、給電線２２５FLを介してアンテナポート２２３2に接続されている。
【手続補正５】
【補正対象書類名】明細書
【補正対象項目名】００４２
【補正方法】変更
【補正の内容】
【００４２】
図５において、筐体２１０の水平方向の長さは、スマートメータ１００の水平方向の長さより長いが、同じ長さであっても良い。図５のように筐体２１０の水平方向の長さがスマートメータ１００の水平方向の長さよりも長い場合は、コンセントレータ２００の筐体の蓋に設けられるねじ穴（ねじ穴１０１Ａと重なるねじ穴）の位置は第１及び第２のアンテナよりも内側となる。言い換えると、ねじ穴１０１Ａのうち第１の側壁２１１寄りに位置するねじ穴は、第１のアンテナ２２４を基準にして第２の側壁２１２側に設けられており、ねじ穴１０１Ａのうち第２の側壁２１２寄りに位置するねじ穴は、第２のアンテナ２２５を基準にして第１の側壁２１１側に設けられている。筐体２１０の水平方向の長さがスマートメータ１００の水平方向の長さと同程度の場合は、コンセントレータ２００の筐体の蓋に設けられるねじ穴の位置は第１及び第２のアンテナの近傍となる。
【国際調査報告】
2015186252.tif 000013
2015186252.tif 000014
2015186252.tif 000015
2015186252.tif 000016